(57)【要約】      （修正有）【課題】ドアを開ける必要なく、冷蔵庫内に冷蔵されている食材を表示できる、スマート冷蔵庫を提供する。【解決手段】スマート冷蔵庫１は携帯電話１００に電気的に接続され、スマート冷蔵庫が本体１０と、少なくとも１つの振動センサー２０と、少なくとも１つのカメラ３０と、ネットワークカード４０と、中央処理装置５０を含み、本体が少なくとも１つのドア１１と収容空間を含み、少なくとも１つの振動センサーが本体に接続され、カメラが本体内に設置され、収容空間内の食材の画像を撮影し、ネットワークカードが本体に設置され、かつ携帯電話に電気的に接続され、中央処理装置が本体に設置され、かつ振動センサー、カメラ、ネットワークカードと電気的に接続され、振動センサーがドア上に振動が発生したことを検出すると、ネットワークカードがカメラで撮影した画像を携帯電話に送信する。【選択図】図１
0003227881.tif 000002
【実用新案登録請求の範囲】
【請求項１】
携帯電話に電気的に接続されたスマート冷蔵庫であって、該スマート冷蔵庫が、
少なくとも１つのドアと収容空間を含む本体と、
該本体に接続された少なくとも１つの振動センサーと、
該本体内に設置され、該収容空間内の食材の画像を撮影する少なくとも１つのカメラと、
該本体に設置され、かつ該携帯電話に電気的に接続されたネットワークカードと、
該本体に設置され、かつ該少なくとも１つの振動センサー、該少なくとも１つのカメラ、該ネットワークカードと電気的に接続された中央処理装置と、
を含み、そのうち、該少なくとも１つの振動センサーが該少なくとも１つのドア上に振動が発生したことを検出すると、該ネットワークカードが該少なくとも１つのカメラで撮影した該画像を該携帯電話に送信する、ことを特徴とする、スマート冷蔵庫。
【請求項２】
前記ネットワークカードが該携帯電話から送信される画像送信リクエストを受信すると、該ネットワークカードが該少なくとも１つのカメラで撮影した該画像を該携帯電話に送信することを特徴とする、請求項１に記載のスマート冷蔵庫。
【請求項３】
前記少なくとも１つの振動センサーが該少なくとも１つのドアに設置されたことを特徴とする、請求項２に記載のスマート冷蔵庫。
【請求項４】
前記少なくとも１つのカメラが該少なくとも１つのドアに設置されたことを特徴とする、請求項３に記載のスマート冷蔵庫。
【考案の詳細な説明】
【技術分野】
【０００１】
本考案はスマート冷蔵庫に関し、特に、ドアを開ける必要なく、冷蔵庫内に冷蔵されている食材を表示できる、スマート冷蔵庫に関する。
【背景技術】
【０００２】
現代人の家庭には通常冷蔵庫が設置され、食材を冷蔵し、食材の腐敗を防止している。使用者が冷蔵庫内に保存されている食材を確認したいとき、使用者はドアを開かなければ中を確認することができないが、ドアを開くと冷気が流失し、食材の新鮮度が低下するだけでなく、冷蔵庫が追加の電力を消費して元の低温を回復する必要がある。
【０００３】
このため、ドアを開ける必要なく、冷蔵庫内に冷蔵されている食材を表示できる、新しい冷蔵庫を提供する必要がある。
【考案の概要】
【考案が解決しようとする課題】
【０００４】
本考案の主な目的は、ドアを開ける必要なく、冷蔵庫内に冷蔵されている食材を表示できる、スマート冷蔵庫を提供することにある。
【課題を解決するための手段】
【０００５】
上述の目的を達成するため、本考案のスマート冷蔵庫は、携帯電話に電気的に接続され、スマート冷蔵庫が本体と、少なくとも１つの振動センサーと、少なくとも１つのカメラと、ネットワークカードと、中央処理装置を含み、本体が少なくとも１つのドアと収容空間を含み、少なくとも１つの振動センサーが本体に接続され、カメラが本体内に設置され、収容空間内の食材の画像を撮影し、ネットワークカードが本体に設置され、かつ携帯電話に電気的に接続され、中央処理装置が本体に設置され、かつ振動センサー、カメラ、ネットワークカードと電気的に接続され、振動センサーがドア上に振動が発生したことを検出すると、ネットワークカードがカメラで撮影した画像を携帯電話に送信する。
【０００６】
本考案の一実施例によれば、ネットワークカードが携帯電話から送信される画像伝送リクエストを受信すると、ネットワークカードはカメラで撮影した画像を携帯電話に送信する。
【０００７】
本考案の一実施例によれば、振動センサーはドアに設置される。
【０００８】
本考案の一実施例によれば、カメラはドアに設置される。
【図面の簡単な説明】
【０００９】
【図１】本考案の一実施例のスマート冷蔵庫と携帯電話の概略図である。
【図２】本考案の一実施例の携帯電話に表示される画像の概略図である。
【図３】本考案の一実施例のスマート冷蔵庫と携帯電話のシステムブロック図である。
【考案を実施するための形態】
【００１０】
以下、本考案の技術内容についてさらに理解を深められるように、特に具体的な実施例を挙げて説明する。
【００１１】
以下では図１から図３の本考案の一実施例のスマート冷蔵庫を併せて参照する。図１に本考案の一実施例のスマート冷蔵庫と携帯電話の概略図、図２に本考案の一実施例の携帯電話に表示される画像の概略図、図３に本考案の一実施例のスマート冷蔵庫と携帯電話のシステムブロック図をそれぞれ示す。
【００１２】
図１から図３に示すように、本考案の一実施例において、スマート冷蔵庫１は食材を冷蔵するために用いられ、かつ使用者はドアを開ける必要なく、スマート冷蔵庫１の内部に冷蔵されている食材を携帯電話１００に表示し、使用者が確認することができる。スマート冷蔵庫１はネットワーク経由で携帯電話１００に電気的に接続される。携帯電話１００はディスプレイ１１０を備え、ディスプレイ１１０に画像を表示して、使用者が確認することができる。スマート冷蔵庫１は、本体１０と、３つの振動センサー２０と、３つのカメラ３０と、ネットワークカード４０と、中央処理装置５０を含む。
【００１３】
本考案の一実施例において、本体１０は長方形の殻体であり、３つのドア１１と、収容空間１２を含む。３つのドア１１は収容空間１２を覆い、スマート冷蔵庫１内の冷気が外部に漏れないようにする。収容空間１２は食材の収容に用いられる。しかしながら、ドア１１の数量は３つに限らず、設計のニーズに応じて１つ以上に変更することができる。
【００１４】
本考案の一実施例において、３つの振動センサー２０は本体１０の３つのドア１１にそれぞれ接続され、各振動センサー２０は接続されたドア１１が衝撃を受けて振動を発生していないかを検出するために用いられる。しかしながら、振動センサー２０の数量は３つに限らず、ドア１１の数量に合わせて１つ以上に変更することができる。
【００１５】
本考案の一実施例において、３つのカメラ３０は本体１０内に設置され、かつ３つのドア１１上にそれぞれ設置される。カメラ３０は収容空間１２内の食材の画像を撮影するために用いられ、例えば収容空間１２内に保存された食材の保存状況、数量、種類の画像を撮影する。しかしながら、カメラ３０の数量は３つに限らず、設計のニーズに応じて１つ以上に変更することができる。カメラ３０の設置位置もドア１１に限らず、本体１０内の任意の位置に設置することができる。
【００１６】
本考案の一実施例において、ネットワークカード４０は本体１０に設置され、かつネットワークカード４０は携帯電話１００に電気的に接続される。ネットワークカード４０はカメラ３０で撮影した画像を携帯電話１００に送信するために用いられ、携帯電話１００の使用者は収容空間１２内の画像を確認することができる。
【００１７】
本考案の一実施例において、中央処理装置５０は本体１０に設置され、かつ３つの振動センサー２０、３つのカメラ３０、ネットワークカード４０と電気的に接続される。中央処理装置５０は３つの振動センサー２０、３つのカメラ３０、ネットワークカード４０の動作を制御かつ連携させるために用いられる。
【００１８】
本考案の一実施例において、いずれかの振動センサー２０が該振動センサー２０に接続されたドア１１上に振動が発生したことを検出すると、振動を検出した該振動センサー２０が振動信号を中央処理装置５０に送信する。中央処理装置５０は該振動センサー２０に接続されたドア１１上のカメラ３０を制御し、該カメラ３０が撮影した収容空間１２内の食材の画像をネットワークカード４０に送信する。続いて、中央処理装置５０がネットワークカード４０を制御して該カメラ３０が撮影した画像を携帯電話１００に送信する。これにより、使用者は携帯電話１００のディスプレイ１１０に表示された収容空間１２内の画像を確認することで、収容空間１２内に保存されているものの保存状況、食材の数量と種類を知ることができる。このため、使用者はドア１１を開く必要なく、スマート冷蔵庫１内に冷蔵されている食材の保存状況、食材の数量と種類を知ることができる。
【００１９】
このほか、スマート冷蔵庫１を制御して収容空間１２内の画像を送信させるメカニズムは上述に限らず、例えば携帯電話１００にスマート冷蔵庫１を制御するソフトウェアをインストールし、該ソフトウェアが画像送信リクエストを生成し、携帯電話１００に該画像送信リクエストをスマート冷蔵庫１に送信させることができる。ネットワークカード４０が携帯電話１００から送信された画像送信リクエストを受信すると、中央処理装置５０がカメラ３０を制御して撮影した画像をネットワークカード４０に送信させる。続いて、中央処理装置５０がネットワークカード４０を制御して該カメラ３０が撮影した画像を携帯電話１００に送信させる。これにより、使用者は携帯電話１００のディスプレイ１１０に表示された収容空間１２内の食材の画像を確認することができる。
【００２０】
本考案のスマート冷蔵庫１の設計により、使用者はドアを開く必要なく、スマート冷蔵庫１内に冷蔵されている食材の画像を携帯電話に表示して、確認することができる。これにより、ドアを開くことによる冷気の流失、食材の新鮮度低下、消費電力の増加等の問題を回避することができる。
【００２１】
上述は単に実施例を挙げたものであり、実施例に限定されないことに注意が必要である。したがって、本考案の基本構成を逸脱しないものはすべて、本考案の主張する権利範囲に含まれ、本考案は実用新案登録請求の範囲に準じるものとする。
【符号の説明】
【００２２】
１      スマート冷蔵庫
１０    本体
１１    ドア
１２    収容空間
２０    振動センサー
３０    カメラ
４０    ネットワークカード
５０    中央処理装置
１００  携帯電話
１１０  ディスプレイ
【図１】
0003227881.tif 000003
【図２】
0003227881.tif 000004
【図３】
0003227881.tif 000005